【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  信号源の動作時に、相互に位相が反転する一対の交流信号が入力され、該交流信号を増幅する電力増幅装置であって、
前記交流信号を電力増幅するための動作状態が制御可能な増幅手段と、
前記一対の交流信号に基づいて前記信号源が動作しているか否かを判断し、該信号源が動作していると判断するときに、前記増幅手段を電力増幅が可能な動作状態に制御する検知手段とを含むことを特徴とする電力増幅装置。
【請求項２】  前記一対の交流信号は、所定の直流電圧に重畳されて入力されることを特徴とする請求項１記載の電力増幅装置。
【請求項３】  前記検知手段は、
前記一対の交流信号から生成される直流信号に従って前記信号源が動作しているか否かを判断することを特徴とする請求項１または２記載の電力増幅装置。
【請求項４】  さらに、前記一対の交流信号の一方を前記増幅手段に入力する信号線に、一端側が接続される第１の抵抗素子と、
前記一対の交流信号の他方を前記増幅手段に入力する信号線に一端側が接続され、他端側が前記第１の抵抗素子の他端側に接続される第２の抵抗素子とを有し、
前記検知手段は、
前記第１の抵抗素子の他端側、および第２の抵抗素子の他端側の共通接続部分の直流電圧を検知することにより、前記信号源が動作しているか否かを判断することを特徴とする請求項１〜３のいずれか１つに記載の電力増幅装置。
【請求項５】  前記信号源を駆動する電源の予め定める基準となる電圧が入力され、
前記検知手段は、前記一対の交流信号および前記基準となる電圧に基づいて、前記信号源が動作しているか否かを判断することを特徴とする請求項１〜４のいずれか１つに記載の電力増幅装置。
【請求項６】  前記信号源を駆動する電源の接地電圧が入力され、
前記検知手段は、前記一対の交流信号および前記接地電圧に基づいて、前記信号源が動作しているか否かを判断することを特徴とする請求項１〜４のいずれか１つに記載の電力増幅装置。
【請求項７】  一端に所定の電源電圧が印加され、他端が接地される単電源によって駆動されるＢＴＬ出力形式の電力増幅回路を有する信号源と、
前記信号源の動作時に、相互に位相が反転する一対の交流信号が前記信号源から入力され、該交流信号を増幅する電力増幅装置とを備える電力増幅システムであって、
前記電力増幅装置は、
前記交流信号を電力増幅するための動作状態が制御可能な増幅手段と、
前記一対の交流信号から前記信号源が動作しているか否かを判断し、該信号源が動作していると判断するときに、前記増幅手段を電力増幅が可能な動作状態に制御する検知手段とを含むことを特徴とする電力増幅システム。
【手続補正２】
【補正対象書類名】明細書
【補正対象項目名】００１４
【補正方法】変更
【補正の内容】
【００１４】
【課題を解決するための手段】
本発明は、信号源の動作時に、相互に位相が反転する一対の交流信号が入力され、該交流信号を増幅する電力増幅装置であって、
前記交流信号を電力増幅するための動作状態が制御可能な増幅手段と、
前記一対の交流信号に基づいて前記信号源が動作しているか否かを判断し、該信号源が動作していると判断するときに、前記増幅手段を電力増幅が可能な動作状態に制御する検知手段とを含むことを特徴とする電力増幅装置である。
【手続補正３】
【補正対象書類名】明細書
【補正対象項目名】００１５
【補正方法】変更
【補正の内容】
【００１５】
本発明に従えば、増幅手段は、入力される一対の交流信号を電力増幅するための動作状態が制御可能である。検知手段は、前記一対の交流信号に基づいて信号源が動作しているか否かを判断する。信号源の動作時に、相互に位相が反転している一対の交流信号は相互に打消し合い、振幅が減少または完全に消滅して、導出される直流電圧が得られる。検知手段は、この直流電圧の検知に従って信号源が動作していると判断するときに、増幅手段を電力増幅が可能な動作状態に制御するので、信号源から動作状態を制御する信号が与えられなくても、信号源の動作と不動作とに対応して、精度良く動作と不動作とを制御することが可能となる。
【手続補正４】
【補正対象書類名】明細書
【補正対象項目名】００１６
【補正方法】変更
【補正の内容】
【００１６】
また本発明は、前記一対の交流信号は、所定の直流電圧に重畳されて入力されることを特徴とする。
【手続補正５】
【補正対象書類名】明細書
【補正対象項目名】００１７
【補正方法】変更
【補正の内容】
【００１７】
本発明に従えば、一対の交流信号は、所定の直流電圧に重畳されて入力されるので、一対の交流信号は相互に打消し合い、振幅が減少または完全に消滅して導出される所定の直流電圧が得られる。
【手続補正６】
【補正対象書類名】明細書
【補正対象項目名】００１８
【補正方法】変更
【補正の内容】
【００１８】
また本発明は、前記検知手段は、
前記一対の交流信号から生成される直流信号に従って前記信号源が動作しているか否かを判断することを特徴とする。
【手続補正７】
【補正対象書類名】明細書
【補正対象項目名】００１９
【補正方法】変更
【補正の内容】
【００１９】
本発明に従えば、検知手段は、一対の交流信号から生成される直流信号に従って前記信号源が動作しているか否かを判断し、信号源が動作していると判断するときに、増幅手段を電力増幅が可能な動作状態に制御することができる。
【手続補正８】
【補正対象書類名】明細書
【補正対象項目名】００２０
【補正方法】変更
【補正の内容】
【００２０】
また本発明は、さらに、前記一対の交流信号の一方を前記増幅手段に入力する信号線に、一端側が接続される第１の抵抗素子と、
前記一対の交流信号の他方を前記増幅手段に入力する信号線に一端側が接続され、他端側が前記第１の抵抗素子の他端側に接続される第２の抵抗素子とを有し、
前記検知手段は、
前記第１の抵抗素子の他端側、および第２の抵抗素子の他端側の共通接続部分の直流電圧を検知することにより、前記信号源が動作しているか否かを判断することを特徴とする。
【手続補正９】
【補正対象書類名】明細書
【補正対象項目名】００２１
【補正方法】変更
【補正の内容】
【００２１】
本発明に従えば、第１の抵抗素子と第２の抵抗素子との共通接続部分では、一対の信号線の相互間で位相が反転している交流信号は相互に打消し合い、振幅が減少または完全に消滅して、一対の信号線に共通に導出される直流電圧が得られる。検知手段は、この直流電圧の検知に従って信号源が動作していると判断することができる。
【手続補正１０】
【補正対象書類名】明細書
【補正対象項目名】００２２
【補正方法】変更
【補正の内容】
【００２２】
また本発明は、前記信号源を駆動する電源の予め定める基準となる電圧が入力され、
前記検知手段は、前記一対の交流信号および前記基準となる電圧に基づいて、前記信号源が動作しているか否かを判断することを特徴とする。
本発明に従えば、検知手段は、前記一対の交流信号および前記基準となる電圧に基づいて、前記信号源が動作しているか否かを判断するので、電源の出力電圧が変動するような場合でも、精度良く信号源の動作状態の検知を行うことができる。
また本発明は、前記信号源を駆動する電源の接地電圧が入力され、
前記検知手段は、前記一対の交流信号および前記接地電圧に基づいて、前記信号源が動作しているか否かを判断することを特徴とする。
本発明に従えば、設置電圧の変動があっても、直流電圧の検知を行うスレッショルドレベルなどを接地電圧の変動に合わせて変化させ、信号源の動作を精度良く検知することができる。
また本発明は、一端に所定の電源電圧が印加され、他端が接地される単電源によって駆動されるＢＴＬ出力形式の電力増幅回路を有する信号源と、
前記信号源の動作時に、相互に位相が反転する一対の交流信号が前記信号源から入力され、該交流信号を増幅する電力増幅装置とを備える電力増幅システムであって、
前記電力増幅装置は、
前記交流信号を電力増幅するための動作状態が制御可能な増幅手段と、
前記一対の交流信号から前記信号源が動作しているか否かを判断し、該信号源が動作していると判断するときに、前記増幅手段を電力増幅が可能な動作状態に制御する検知手段とを含むことを特徴とする電力増幅システムである。
【手続補正１１】
【補正対象書類名】明細書
【補正対象項目名】００３５
【補正方法】変更
【補正の内容】
【００３５】
【発明の効果】
以上のように本発明によれば、検知手段は、一対の交流信号に基づいて信号源が動作していると判断するときに、増幅手段を電力増幅が可能な動作状態に制御するので、信号源から動作状態を制御する信号が与えられなくても、信号源の動作と不動作とに対応して、精度良く動作と不動作とを制御することができる。
【手続補正１２】
【補正対象書類名】明細書
【補正対象項目名】００３６
【補正方法】変更
【補正の内容】
【００３６】
また本発明によれば、一対の交流信号は、所定の直流電圧に重畳されて入力されるので、一対の交流信号は相互に打消し合い、振幅が減少または完全に消滅して導出される所定の直流電圧が得られる。
【手続補正１３】
【補正対象書類名】明細書
【補正対象項目名】００３７
【補正方法】変更
【補正の内容】
【００３７】
また本発明によれば、検知手段は、一対の交流信号から生成される直流信号に従って前記信号源が動作しているか否かを判断し、信号源が動作していると判断するときに、増幅手段を電力増幅が可能な動作状態に制御することができる。
【手続補正１４】
【補正対象書類名】明細書
【補正対象項目名】００３８
【補正方法】変更
【補正の内容】
【００３８】
また本発明によれば、第１の抵抗素子と第２の抵抗素子との共通接続部分では、一対の信号線の相互間で位相が反転している交流信号は相互に打消し合い、振幅が減少または完全に消滅して、一対の信号線に共通に導出される直流電圧が得られる。検知手段は、この直流電圧の検知に従って信号源が動作していると判断することができる。
また本発明によれば、検知手段は、前記一対の交流信号および前記基準となる電圧に基づいて、前記信号源が動作しているか否かを判断するので、電源の出力電圧が変動するような場合でも、精度良く信号源の動作状態の検知を行うことができる。
また本発明によれば、設置電圧の変動があっても、直流電圧の検知を行うスレッショルドレベルなどを接地電圧の変動に合わせて変化させ、信号源の動作を精度良く検知することができる。